(57)【要約】【課題】  印画紙に付着した異物を効果的に除去する。【解決手段】  プリンタにおける印画紙２を収容する供給マガジンの近傍に、印画紙２に付着した異物を除去する異物除去機構３０が配置されている。異物除去機構３０は、印画紙２の搬送経路上に配置されており、印画紙２が通過可能な進入口３１ｂ及び排出口３１ｃが形成された筐体３１と、筐体３１内において印画紙２の幅方向に沿って配列されていると共に、印画紙２の面に垂直な方向に延びており、コロナ放電を生じさせることによりイオンを発生させる複数の放電針３３ｂと、印画紙２と放電針３３ｂとの間に配置されていると共に印画紙２の幅方向に延びており、モータによって回転駆動される回転軸３４、３５にそれぞれ取り付けられた、印画紙２と当接可能なブラシ３８、３９と、筐体３１内の空気を装置外に導くような空気の流れを発生させる空気流発生機構とを備えている。【選択図】        図３
2007034109.tif 000002
【特許請求の範囲】
【請求項１】
巻回された長尺の印画紙を収容する供給マガジンと、
前記供給マガジンから印画紙を引き出して搬送する搬送機構と、
前記搬送機構によって搬送される印画紙に対して露光処理を施す露光部と、
前記供給マガジンと前記露光部との間において、前記搬送機構による印画紙の搬送経路上に配置されており、印画紙が通過可能な進入口及び排出口が形成された筐体と、
前記筐体内において、前記搬送機構によって搬送される印画紙の面と平行且つ印画紙の搬送方向と直交する方向に沿って配列されており、印画紙の面に垂直な方向に延びていると共に、コロナ放電を生じさせることによりイオンを発生させる複数の放電針と、
前記搬送機構による印画紙の搬送経路と前記放電針との間に配置されており、前記筐体内を通過する印画紙の表面から異物を除去する異物除去部材と、
前記筐体内を搬送される印画紙の周囲の空気を装置外に導くような空気の流れを発生させる空気流発生機構とを備えていることを特徴とする写真処理装置。
【請求項２】
前記異物除去部材が、前記筐体内を通過する印画紙と当接可能であり、且つ導電性を有する素材で作製されていると共に、接地されているブラシであることを特徴とする請求項１に記載の写真処理装置。
【請求項３】
前記異物除去部材が、前記筐体内を通過する印画紙の乳剤面と当接可能であり、且つ印画紙の幅方向に延びる軸を中心に回転可能であるブラシであり、
前記ブラシが、前記搬送機構による印画紙の搬送方向と同じ方向に、印画紙の搬送速度よりも速い速度で回転することを特徴とする請求項１または２に記載の写真処理装置。
【発明の詳細な説明】
【技術分野】
【０００１】
本発明は、印画紙に露光処理を施すことによって写真プリントを作成する写真処理装置、より詳細には、印画紙に付着している異物を除去する機構を有する写真処理装置に関する。
【背景技術】
【０００２】
写真処理装置では、巻回された長尺の印画紙（ロールペーパー）を供給マガジンから引き出し、露光部で印画紙に対して露光処理を施すことによって潜像を形成した後、現像部で現像処理を施すことによって印画紙に形成された潜像を顕在化させ、写真プリントを作成する。かかる写真処理装置で用いられるロールペーパーは、写真処理装置で使用可能な印画紙の幅よりも広い幅の印画紙を巻回してロール状に形成した後、写真処理装置で使用可能な幅となるように切断することによって製造される。この製造方法は、複数本のロールペーパーを同時に製造することができるので効率的であるが、幅広のロールペーパーを切断する際に生じる紙粉が、ロールペーパーの切断面、ひいては印画紙の表面に付着する。また、印画紙表面には、紙粉の他に埃等の異物が付着していることがある。
【０００３】
印画紙表面に上述のような異物が付着している場合には、異物によって露光の光線が遮られ、仕上がり画像に斑点が生じるなどして画質が劣化する。また、印画紙を搬送するためのローラに異物が付着して印画紙が滑ることによって搬送精度が低下する。そこで、印画紙に付着している異物をブラシ等でかき取ることも考えられるが、このような場合には、かき取られた異物が装置内に拡散する。装置内に異物が拡散すると、装置内に配置されている各種の光学式の検出センサや電子部品等に異物が付着する。これにより、検出センサでは、発光素子から出射された光が異物によって遮られることに起因する誤作動が、電子部品では、異物により放熱性が低下することに起因する誤作動がそれぞれ生じる。
【０００４】
特許文献１には、供給マガジンの印画紙排出口近傍に、印画紙に付着した異物を吸引するための吸引装置が配置された写真プリント装置が開示されている。これにより、印画紙に付着している異物を装置内に拡散させることなく除去することができる。
【特許文献１】特開２００３−３３０１２２号公報（第１図）
【発明の開示】
【発明が解決しようとする課題】
【０００５】
装置内を搬送される印画紙は、ロール状態から巻き解かれる際の印画紙同士の剥離やペーパガイドとの接触により、静電気を帯びている。この静電気によって、異物は印画紙に吸着しているので、従来の方法では、異物を効果的に除去することはできない。
【０００６】
そこで、本発明の目的は、印画紙に付着した異物を効果的に除去することが可能な写真処理装置を提供することである。
【課題を解決するための手段及び効果】
【０００７】
本発明の写真処理装置は、巻回された長尺の印画紙を収容する供給マガジンと、前記供給マガジンから印画紙を引き出して搬送する搬送機構と、前記搬送機構によって搬送される印画紙に対して露光処理を施す露光部と、前記供給マガジンと前記露光部との間において、前記搬送機構による印画紙の搬送経路上に配置されており、印画紙が通過可能な進入口及び排出口が形成された筐体と、前記筐体内において、前記搬送機構によって搬送される印画紙の面と平行且つ印画紙の搬送方向と直交する方向に沿って配列されており、印画紙の面に垂直な方向に延びていると共に、コロナ放電を生じさせることによりイオンを発生させる複数の放電針と、前記搬送機構による印画紙の搬送経路と前記放電針との間に配置されており、前記筐体内を通過する印画紙の表面から異物を除去する異物除去部材と、前記筐体内を搬送される印画紙の周囲の空気を装置外に導くような空気の流れを発生させる空気流発生機構とを備えている。
【０００８】
この構成によると、放電針から発生したイオンによって印画紙の静電気を除去すると共に、例えばブラシ等の異物除去部材によって印画紙表面から異物を除去し、空気流発生機構により発生された空気の流れによって異物を装置外に排出することができる。したがって、印画紙に付着した異物を装置内に拡散させることなく、効果的に除去することができる。その結果、異物により露光の光線が遮られることによる露光不良、搬送機構に含まれるローラ等に異物が付着することによる搬送精度の低下、各種の光学式の検出センサに異物が付着することによるセンサの誤作動、及び電子部品に異物が付着し放熱性が低下することによる電子部品の誤作動等を効果的に防止することができる。また、筐体内に飛散する異物によって放電針でスパークが生じる場合があるが、筐体内を搬送される印画紙と放電針との間には、異物除去部材が配置されているので、スパークによって印画紙が感光するのを防止することができる。
【０００９】
本発明の写真処理装置では、前記複数の放電針及び前記異物除去部材が、前記搬送機構による印画紙の搬送経路の両側にそれぞれ配置されていることが好ましい。この構成によると、印画紙の両面に付着している異物をそれぞれ効果的に除去することができる。
【００１０】
本発明の写真処理装置では、前記筐体が前記供給マガジンの近傍に配置されていることが好ましい。異物が付着したままの印画紙が装置内を搬送されると、搬送による振動等によって印画紙から剥がれ落ちた異物が、装置内に拡散する。この構成によると、供給マガジンから引き出された印画紙に付着した異物を速やかに除去することができるので、装置内に異物が拡散するのをより確実に防止することができる。
【００１１】
本発明の写真処理装置は、前記異物除去部材が、前記筐体内を通過する印画紙と当接可能であり、且つ導電性を有する素材で作製されていると共に、接地されているブラシであってもよい。この構成によると、接地電位とされたブラシが印画紙と接触することによって、印画紙の静電気をより確実に除去することができる。
【００１２】
本発明の写真処理装置は、前記空気流発生機構が、前記筐体の印画紙の幅方向一端部近傍から前記筐体内に空気を送り込む吸気ファンと、前記筐体の印画紙の幅方向他端部近傍から前記筐体内の空気を装置外に排出する排気ファンとを有していてもよい。この構成によると、筐体内に印画紙の面と実質的に平行な方向の空気の流れを発生させることができるので、印画紙面から除去された筐体内の異物を確実に排出することができる。
【００１３】
本発明の写真処理装置は、前記異物除去部材が、前記筐体内を通過する印画紙の乳剤面と当接可能であり、且つ印画紙の幅方向に延びる軸を中心に回転可能であるブラシであり、前記ブラシが、前記搬送機構による印画紙の搬送方向と同じ方向に、印画紙の搬送速度よりも速い速度で回転してもよい。ブラシが、回転方向に対して疎らに取り付けられている場合に、ブラシを印画紙の搬送速度よりも遅く回転させると、印画紙の一部分はブラシと当接することなく筐体を通過する。この構成によると、ブラシが、回転方向に対して疎らに取り付けられている場合でも、ブラシと印画紙とを効率よく当接させることができる。したがって、より確実に異物をかき取ることができる。
【発明を実施するための最良の形態】
【００１４】
以下、本発明の好適な一実施の形態について、図面を参照しつつ説明する。図１は、本実施の形態に係る写真処理装置の概略構成を示す図である。図１に示すように、本実施の形態の写真処理装置１には、プリンタプロセッサ１０が備えられている。
【００１５】
プリンタプロセッサ１０は、印画紙２に対して露光処理を施して潜像を形成するプリンタ２０と、潜像が形成された印画紙２に対して現像、漂白、安定化などの処理を施して画像を顕在化させるプロセッサ２８と、プロセッサ２８から排出された印画紙２を乾燥させる仕上げ処理部２９とを有している。
【００１６】
プリンタ２０は、巻回された長尺の印画紙２を収納する２つの供給マガジン３から印画紙２を引き出しつつ搬送する複数の搬送ローラ対２１ａ及び搬送ローラ対２１ａを駆動させるモータ（図示せず）からなる搬送機構２１と、供給マガジン３の近傍にそれぞれ配置されており、供給マガジン３から引き出された印画紙に付着している異物を除去するための異物除去機構３０（後で詳述する）と、印画紙２をプリントサイズにカットするカッター２５と、搬送経路に沿って搬送される印画紙２に対して後述するコントローラ９０で補正処理が施された画像データに対応する潜像を形成する露光部２６とを備えている。そして、プリンタ２０において露光処理が施された印画紙２は、プロセッサ２８を経て仕上げ処理部２９へと搬送され、仕上がりの写真プリントとして排出される。
【００１７】
なお、プリンタ２０には、プリンタプロセッサ１０で行われている処理の状態を把握するために、印画紙２が所定箇所を通過するタイミング等を検出するセンサが設けられている。例えば、図１に示すように、プロセッサ２８への印画紙２の供給口近傍には、プロセッサ２８に供給された印画紙２の枚数を検出するためのセンサ２３が配置されている。センサ２３は、ＬＥＤなどの発光素子２３ａ及び発光素子２３ａから出射される光を受光可能な位置に配置されたフォトダイオードなどの受光素子２３ｂからなる。発光素子２３ａ及び受光素子２３ｂは、印画紙２の搬送経路を挟んで対向するように配置される。よって、センサ２３において、発光素子２３ａから出射された光を受光素子２３ｂで受光することができた場合には、両者の間に印画紙２が存在していないことになり、受光することができなかった場合には、両者の間に印画紙２が存在していることになる。従って、センサ２３の出力信号の変化を検知することによって、センサ２３に対応する位置を通過する印画紙２の枚数を知ることができる。
【００１８】
ここで、図２〜図５を参照しつつ、異物除去機構３０について詳細に説明する。図２は、異物除去機構３０の外観斜視図である。図３は、図２のIII-III断面図である。図４は、図２のIV-IV断面図の一部分を示す図である。図５は、異物除去機構３０の（図２において紙面右手前側から見た）側面図である。なお、図２〜図５において、印画紙２の幅方向を矢印Ｘ、印画紙２の搬送方向を矢印Ｙ、印画紙２の面と垂直な方向を矢印Ｚで示す。
【００１９】
図２に示すように、異物除去機構３０は、搬送機構２１による印画紙２の搬送経路（図２においては破線で示す）上に配置された、印画紙２の幅方向（Ｘ方向）に延びる略直方体形状の筐体３１と、筐体３１の長手方向一端部（図２においては、紙面右手前側）近傍に配置されており、図示しないフィルタによって埃やゴミが取り除かれた清浄な空気を筐体３１内に送り込む吸気ファン３２ａ、及び筐体３１の長手方向他端部（図２においては、紙面左奥側）近傍に配置されており筐体３１内の空気を図示しないダクトを介して装置外に排出する排気ファン３２ｂからなり、筐体３１内の空気を装置外に導くような空気の流れを発生させる空気流発生機構３２とを備えている。また、筐体３１の上面には、後述する回転軸３４、３５（図３〜図５参照）を回転させるためのモータ３７が配置されている。
【００２０】
また、筐体３１の長手方向に沿う両側面には、それぞれイオナイザ３３が配置されている。図３、及び図４に示すように、イオナイザ３３は、印画紙２の幅方向（Ｘ方向）に延びる略直方体形状のケージング３３ａと、ケージング３３ａに取り付けられた放電針３３ｂとを有している。放電針３３ｂは、ケージング３３ａの印画紙２の面に平行な面において、印画紙２の幅方向（Ｘ方向）に沿って複数配列されており、印画紙２の面に垂直な方向（Ｚ方向）に延びている。筐体３１の長手方向に沿う両側面には、その長手方向に沿う細長形状の開口３１ａが形成されている。イオナイザ３３の放電針３３ｂは、開口３１ａを介して筐体３１の内部へ突出している。放電針３３ｂには、図示しない電源装置から電流が供給されるようになっている。そして、放電針３３ｂに溜まった電荷が一定量を超えると、放電針３３ｂにおいてコロナ放電が生じ、筐体３１内にイオンを発生させることができる。
【００２１】
さらに、図２、及び図３に示すように、筐体３１の上下面（筐体３１内を搬送される印画紙２の面に垂直な面）には、印画紙２が通過可能な進入口３１ｂ及び排出口３１ｃがそれぞれ形成されている。また、進入口３１ｂ及び排出口３１ｃには、それぞれ印画紙２の面に平行な一対の板状部材からなるペーパガイド２７が設けられているので、印画紙２は筐体３１の内部をスムーズに通過することができる。
【００２２】
また、図３、及び図４に示すように、筐体３１内には、印画紙２の搬送経路を挟んだ両側において、印画紙２の搬送経路と放電針３３ｂとの間に、印画紙２の幅方向（Ｘ方向）に延びる回転軸３４、３５が配置されている。回転軸３４は、印画紙２の乳剤面側（図３においては紙面右側、図４においては紙面上方）に配置されており、回転軸３５は、印画紙２のベース面側（図３においては紙面左側、図４においては紙面下方）に配置されている。なお、回転軸３４、３５は、いずれも接地されている。
【００２３】
加えて、図２、及び図５に示すように、回転軸３４、３５の一端部近傍（図２においては、紙面右手前側端部近傍）は、筐体３１の側面から突出しており、この回転軸３４、３５の筐体３１からの突出部分には、プーリ３４ａ、３５ａがそれぞれ嵌合固定されている。そして、上述のモータ３７の駆動が、モータ３７の駆動軸３７ａと、プーリ３４ａ、３５ａとに巻き掛けられた無端ベルト３６を介してプーリ３４ａ、３５ａに伝達されるようになっている。これによって、回転軸３４、３５は回転可能となっている。なお、本実施の形態では、モータ３７の駆動軸３７ａは、図２、及び図５において反時計回りに回転することとする。したがって、回転軸３４、３５も図２、３、及び図５において反時計回りに回転する。
【００２４】
さらに、図３に示すように、回転軸３４、３５には、印画紙２の幅方向（Ｘ方向）に延在するブラシ３８、３９が、筐体３１内を通過する印画紙２と当接可能に、それぞれ４本ずつ取り付けられている。ブラシ３８、３９は、導電性を有する素材で作製されており、回転軸３４、３５を介して接地されている。上述のように、回転軸３４、３５は図３において反時計回りに回転するので、印画紙２の乳剤面側に配置された回転軸３４に取り付けられたブラシ３８の印画紙２（の乳剤面）との当接部分は、印画紙２の搬送方向（Ｙ方向）と同じ方向に移動し、印画紙２のベース面側に配置された回転軸３５に取り付けられたブラシ３９の印画紙２（のベース面）との当接部分は、印画紙２の搬送方向（Ｙ方向）と反対の方向に移動する。
【００２５】
図１に戻って、写真処理装置１には、写真処理装置１全体の制御を行うコントローラ９０が備えられている。そして、コントローラ９０は、上述のプリンタプロセッサ１０の他、現像済みのフィルムのコマ画像を読み取るフィルムスキャナ８０やセットされたメディアに記録された画像データを読み出すメディアドライブ８１に接続されている。また、コントローラ９０には、写真処理装置１に関する様々な情報を表示してオペレータに報知するディスプレイ９７と、オペレータがコントローラ９０に対して指示を与えるキーボード９８及びマウス９９とが接続されている。
【００２６】
コントローラ９０は、例えば汎用のパーソナルコンピュータによって構成されている。かかるコンピュータには、ＣＰＵ、ＲＯＭ、ＲＡＭ、ハードディスクなどのハードウェアが収納されており、ハードディスクには、当該コンピュータをコントローラ９０として機能させるためのプログラム（このプログラムは、ＣＤ−ＲＯＭ、ＦＤ、ＭＯなどのリムーバブル型記録媒体に記録しておくことにより、任意のコンピュータにインストールすることが可能である）を含む各種のソフトウェアが記憶されている。そして、これらのハードウェア及びソフトウェアが組み合わされることによって、後述の各部９１〜９６が構築されている。
【００２７】
コントローラ９０は、フィルムスキャナ８０が取得した画像データやメディアドライブ８１によってメディアから読み出された画像データを記憶する画像記憶部９１と、画像記憶部９１に記憶されている画像データに対して濃度補正や色補正等の各種補正処理を施す画像処理部９２と、搬送機構２１の複数の搬送ローラ対２１ａを駆動させるモータを制御する搬送制御部９３と、異物除去機構３０の回転軸３４、３５を回転させるモータ３７の駆動を制御するモータ駆動制御部９４（後で詳述する）と、印画紙２が所定の大きさに切断されるようにカッター２５の駆動を制御する切断制御部９５と、画像処理部９２によって処理された画像データに基づいて印画紙２に潜像が形成されるように露光部２６を制御する露光制御部９６とを有している。
【００２８】
モータ駆動制御部９４は、上述のように、回転軸３４、３５が図２、３、及び図５において反時計回りに回転するように制御する。また、モータ駆動制御部９４は、印画紙２の乳剤面側に配置された回転軸３４が、回転軸３４に取り付けられたブラシ３８の印画紙２（の乳剤面）との当接部分が、印画紙２の搬送速度よりも速い速度で移動するように回転するようにモータ３７の駆動を制御する。
【００２９】
以上のように、本実施の形態の写真処理装置１では、巻回された長尺の印画紙２が収容された供給マガジン３から引き出された印画紙２に対して露光部２６によって露光処理を施すプリンタ２０の供給マガジン３と露光部２６との間に、供給マガジン３から引き出された印画紙２に付着した異物を除去する異物除去機構３０が配置されている。異物除去機構３０は、印画紙２の搬送経路上に配置されており、印画紙２が通過可能な進入口３１ｂ及び排出口３１ｃが形成された筐体３１と、印画紙２の幅方向に沿って配列されており、筐体３１の長手方向に沿う側面に形成された開口３１ａから筐体３１内に突出していると共に、印画紙２の面に垂直な方向に延びており、コロナ放電を生じさせることによりイオンを発生させる複数の放電針３３ｂと、印画紙２の搬送経路と放電針３３ｂとの間に配置されていると共に印画紙２の幅方向に延びる回転軸３４、３５にそれぞれ取り付けられた、印画紙２と当接可能なブラシ３８、３９と、回転軸３４、３５を回転させるモータ３７と、筐体３１内の空気を装置外に導くような空気の流れを発生させる空気流発生機構３２とを備えている。これにより、放電針３３ｂから発生したイオンによって印画紙２の静電気を除去すると共に、ブラシ３８、３９によって印画紙２に付着した異物をかき取り、空気流発生機構３２により発生された空気の流れによって異物を装置外に排出することができる。したがって、印画紙２に付着した異物を装置内に拡散させることなく、効果的に除去することができる。その結果、異物により露光の光線が遮られることによる露光不良、搬送ローラ対２１ａに異物が付着することによる搬送精度の低下、光学式のセンサ２３に異物が付着することによるセンサ２３の誤作動、及びモータ３７等の電子部品に異物が付着し放熱性が低下することによる電子部品の誤作動等を効果的に防止することができる。また、筐体３１内に飛散する紙粉や埃によって放電針３３ｂでスパークが生じる場合があるが、筐体３１内を搬送される印画紙２と放電針３３ｂとの間には、ブラシ３８、３９が取り付けられた回転軸３４、３５が配置されているので、スパークによって印画紙２が感光するのを防止することができる。
【００３０】
また、本実施の形態の写真処理装置１では、複数の放電針３３ｂ及びブラシ３８、３９が取り付けられた回転軸３４、３５は、印画紙２の搬送経路の両側にそれぞれ配置されている。したがって、印画紙２の両面に付着している異物をそれぞれ効果的に除去することができる。
【００３１】
さらに、本実施の形態の写真処理装置１では、筐体３１は、供給マガジン３の近傍に配置されている。したがって、供給マガジン３から引き出された印画紙２に付着した異物を速やかに除去することができるので、装置内に異物が拡散するのをより確実に防止することができる。
【００３２】
加えて、本実施の形態の写真処理装置１では、ブラシ３８、３９が導電性を有する素材で作製されていると共に、回転軸３４、３５を介して接地されている。したがって、接地電位とされたブラシ３８、３９が印画紙２と接触することによって、印画紙２の静電気をより確実に除去することができる。
【００３３】
また、本実施の形態の写真処理装置１では、空気流発生機構３２は、筐体３１の長手方向一端部近傍に配置されており筐体３１内に空気を送り込む吸気ファン３２ａ、及び筐体３１の長手方向他端部近傍に配置されており筐体３１内の空気を装置外に排出する排気ファン３２ｂとを有している。したがって、空気流発生機構３２によって、筐体３１内に印画紙２の面と実質的に平行な方向の空気の流れを発生させることができるので、印画紙面からかき取られた筐体３１内の異物を確実に排出することができる。
【００３４】
また、本実施の形態の写真処理装置１では、モータ駆動制御部９４が、印画紙２の乳剤面側に配置された回転軸３４が、回転軸３４に取り付けられたブラシ３８の印画紙２（の乳剤面）との当接部分が、印画紙２の搬送方向と同じ方向に、印画紙２の搬送速度よりも速い速度で移動するように回転するようにモータ３７の駆動を制御する。したがって、ブラシ３８、３９が、回転軸３４、３５の回転方向に対して疎らに取り付けられている場合でも、ブラシ３８、３９と印画紙２とを効率よく当接させることができる。よって、より確実に異物をかき取ることができる。
【００３５】
以上、本発明の好適な一実施の形態について説明したが、本発明は上述の実施の形態に限られるものではなく、特許請求の範囲に記載した限りにおいて、様々な設計変更を行うことが可能なものである。例えば、上述の実施の形態では、複数の放電針３３ｂ及びブラシ３８、３９が取り付けられた回転軸３４、３５が、印画紙２の搬送経路の両側にそれぞれ配置されている場合について説明したが、複数の放電針３３ｂ及びブラシ３８、３９が取り付けられた回転軸３４、３５は、印画紙２の搬送経路の片側、例えば、印画紙２の乳剤面側にのみ配置されていてもよい。
【００３６】
また、上述の実施の形態では、筐体３１が、供給マガジン３の近傍に配置されている場合について説明したが、これには限られない。筐体３１は、供給マガジン３と露光部２６との間に配置されていればよい。
【００３７】
また、上述の実施の形態では、ブラシ３８、３９が導電性を有する素材で作製されていると共に、回転軸３４、３５を介して接地されている場合について説明したが、ブラシ３８、３９は接地されていなくてもよいし、絶縁性を有する素材で作製されていてもよい。
【００３８】
さらに、上述の実施の形態では、空気流発生機構３２が、筐体３１の長手方向一端部近傍に配置されており筐体３１内に空気を送り込む吸気ファン３２ａ、及び筐体３１の長手方向他端部近傍に配置されており筐体３１内の空気を装置外に排出する排気ファン３２ｂとを有している場合について説明したが、空気流発生機構３２の構成はこれには限られない。空気流発生機構３２は、筐体３１内の空気を装置外に導くような空気の流れを発生させればよいので、例えば吸気ファン３２ａのみを備えており、吸気ファン３２ａによって筐体３１内に送り込まれた空気が、筐体３１に設けられた排出口から装置外に排出されるような構成にしてもよい。また、排気ファン３２ｂのみを備えており、排気ファン３２ｂによって筐体３１内の空気を装置外に排出することによって、筐体３１に設けられた吸気口から筐体３１に空気が送り込まれるような構成にしてもよい。
【００３９】
加えて、上述の実施の形態では、モータ３７の駆動軸３７ａの回転力が、回転軸３４、３５に嵌合固定されたプーリ３４ａ、３５ａと、駆動軸３７ａ及びプーリ３４ａ、３５ａに巻き掛けられた無端ベルト３６を介して、回転軸３４、３５に伝達される場合について説明したが、駆動軸３７ａの回転力を回転軸３４、３５に伝達するための機構はこれには限られない。例えば、ギア機構等であってもよい。
【００４０】
加えて、上述の実施の形態では、モータ駆動制御部９４が、印画紙２の乳剤面側に配置された回転軸３４が、回転軸３４に取り付けられたブラシ３８の印画紙２（の乳剤面）との当接部分が、印画紙２の搬送方向と同じ方向に、印画紙２の搬送速度よりも速い速度で移動するように回転するようにモータ３７の駆動を制御する場合について説明したが、これには限られない。回転軸３４が、回転軸３４に取り付けられたブラシ３８の印画紙２との当接部分が、印画紙２の搬送方向と逆方向に移動するように回転するように制御してもよい。また、回転軸３４が、回転軸３４に取り付けられたブラシ３８の印画紙２との当接部分が、印画紙２の搬送速度よりも遅い速度で移動するように回転するように制御してもよい。
【図面の簡単な説明】
【００４１】
【図１】本発明の一実施の形態に係る写真処理装置の概略構成を示す図である
【図２】図１に示す異物除去機構の外観斜視図である。
【図３】図２のIII-III断面図である。
【図４】図２のIV-IV断面図の一部分を示す図である。
【図５】図２に示す異物除去機構を紙面右手前側から見た側面図である。
【符号の説明】
【００４２】
１  写真処理装置
２  印画紙
３  供給マガジン
２１  搬送機構
２７  露光部
３０  異物除去機構
３１  筐体
３１ｂ  排出口
３１ｃ  進入口
３２  空気流発生機構
３２ａ  吸気ファン
３２ｂ  排気ファン
３３  イオナイザ
３３ｂ  放電針
３４、３５  回転軸
３７  モータ
３８、３９  ブラシ（異物除去部材）
９４  モータ駆動制御部（モータ駆動制御部）
【図１】
2007034109.tif 000003
【図２】
2007034109.tif 000004
【図３】
2007034109.tif 000005
【図４】
2007034109.tif 000006
【図５】
2007034109.tif 000007